【事件の表示】
　特許第２７０７７２７号「移植機の伝動ケース」の特許に対する特許異議の申立てについて、次のとおり決定する。
【結論】
　訂正を認める。
　特許第２７０７７２７号の特許を維持する。
【理由】
１．手続の経緯
　本件特許第２７０７７２７号は、平成１年６月２日に出願された特願平１−１４１８９４号として特許出願されたものであって、平成９年１０月１７日に設定登録がされ、その後、特許異議の申立てが、株式会社三菱農機株式会社（以下、申立人という。）よりなされ、取消理由通知がされ、その指定期間内に訂正請求がなされものである。
２．訂正の適否のついての判断
　ア．訂正の内容
　本件訂正の趣旨は、本件特許の明細書を平成１１年６月１６日付け訂正請求書に添付した訂正明細書のとおり次のように訂正しようとするものである。
（１）【特許請求の範囲】　【請求項１】の記載を、『駆動回転される植付駆動軸から複数の伝動経路に分岐伝動し、該伝動経路を介して複数の植付装置が駆動される構成とした移植機において、前記複数の伝動経路の植付駆動軸から植付装置を駆動する軸までの伝動部を内装する伝動ケースを、ケース内の中空部の中間部が狭く該中間部から両端部側になるほど広くし且つ両端部を開口した形態に一体成形したことを特徴とする移植機の伝動ケース。』と訂正する。
（２）【発明の詳細な説明】［課題を解決するための手段］の記載を、『上記課題を解決するため、本発明は、次のような構成を採用した。すなわち、本発明にかかる移植機の伝動ケースは、駆動回転される植付駆動軸から複数の伝動経路に分岐伝動し、該伝動経路を介して複数の植付装置が駆動される構成とした移植機において、前記複数の伝動経路の植付駆動軸から植付装置を駆動する軸までの伝動部を内装する伝動ケースを、ケース内の中空部の中間部が狭く該中間部から両端部側になるほど広くし且つ両端部を開口した形態に一体成形したことを特徴としている。』と訂正する。
（３）【発明の詳細な説明】［作用］の記載を、『植付駆動軸から植付装置を駆動する軸までの伝動部を内装する伝動ケースを、該ケース内の中空部の中間部が狭く該中間部から両端部側になるほど広くし且つ両端部を開口した形態に一体成形するので、成形時において、中空部を成形する中子を成形後に左右両端から抜き出すことができる。このため、伝動ケースを半割り構造とせず、一体的に成形でき、綱立が容易で、低コストのものとすることができる。』と訂正する。
（４）【発明の詳細な説明】［発明の効果］の記載を、『以上に説明したように、本発明の移植機の伝動ケースは、ケース内の中空部の中間部が狭く、該中間部から両端部側になるほど広くし、且つ両端部を開口した形態に成形したので、伝動ケースを左右半割り構成にせず、一体的に成形できるようになり，植付駆動軸から植付装置を駆動する軸までの伝動部を内装する伝動ケースのコストダウン及び組立て工数の低減が図れるようになった。』と訂正する。
　イ．訂正の目的の適否、新規事項の有無及び拡張、変更の存否
　上記訂正（１）において、「複数の伝動経路の伝動ケース」を『複数の伝動経路の植付駆動軸から植付装置を駆動する軸までの伝動部を内装する伝動ケース』と訂正することは、伝動ケースの構成を具体化することであり、「伝動ケースを．．．成形した」を『伝動ケースを．．．一体成形した』と訂正することは、伝動ケースの成形手段を一体成形に限定することであるから、訂正（１）は、特許請求の範囲の減縮を目的とする。
　上記訂正（２）〜（４）は、前記のように特許請求の範囲が訂正されたことに伴い、特許請求の範囲の記載と発明の詳細な説明の記載とを整合させる、明りょうでない記載の釈明を目的とする。
　また、上記訂正（１）〜（４）は、明細書又は図面に記載された事項の範囲内においてなされたものであるから、新規事項の追加に該当せず、また、実質上特許請求の範囲を拡張し変更するものでもない。
　ウ．独立特許要件
（取消理由通知の概要）
　取消理由通知の概要は、本件発明が、本件出願前に頒布された下記刊行物２に記載された発明であり、また、本件発明が、本件出願前に頒布された下記刊行物１、３〜６記載の発明に基づいて当業者が容易に発明をすることがきたものであるから、本件特許は、特許法第２９条第１項第３号、同法第２９条第２項の規定に違反してなされたというものである。
記
１．特開昭６０−１５３７１０号公報（甲第１号証）
２．特開昭６３−４４８０８号公報（甲第２号証）
３．特開昭５９−５９５２６号公報（甲第３号証の１）
４．特開昭５９−６９２３２号公報（甲第３号証の２）
５．昭和４５年６月３０日社団法人／新日本鋳鍛造協会発行［鋳物用語と解説］第２２２頁（甲第４号証の１）
６．特公昭６２−５７８６１号公報（甲第４号証の２）
　刊行物１の、第１頁左下欄第５〜１３行、第２頁右上欄第１４行〜同頁左下欄第１行、第２頁左下欄第７〜１１行、第２図、第４図の記載によれば、刊行物１には、「駆動回転される植付駆動軸（出力軸１２）から複数の伝動経路に分岐伝動し、該伝動経路を介して複数の植付装置が駆動される構成とした移植機において、前記複数の伝動経路の植付駆動軸から植付装置を駆動する軸（植付杆回動軸２３）までの伝動ケース（植付部伝動チェンケース１５）の両端部を開口（前端面１７，後端面１８）した形態に成形した移植機の伝動ケース」が記載されている。
　刊行物２の、第２頁右下欄第２〜５行、第３図、第５図の記載によれば、刊行物２には、「駆動回転される植付駆動軸（第２軸）から複数の伝動経路に分岐伝動し、該伝動経路を介して複数の植付装置が駆動される構成とした移植機において、前記複数の伝動経路の植付駆動軸後方から植付装置を駆動する軸（駆動軸２８）までの伝動ケース（副伝動ケース１９ｂ）を、ケース内の中空部の中間部が狭く該中間部から両端部側になるほど広くし且つ両端部を開口した形態に成形し、伝動ケース（副伝動ケース１９ｂ）の平断面においてケース内の中空部の幅が同じである移植機の伝動ケース」が記載されている。
刊行物３の、第１頁左下欄第５〜８行、第１頁左下欄第１２行〜右下欄第１３行、第２頁右下欄第１２〜１９行、第３図、第４図の記載、及び、刊行物４の、第１頁第５行、第３頁第７〜１５行、第１図、第２図の記載によれば、刊行物３，４には、農業機械の分野において、伝動ケースを左右半割に構成せず、一体的に成形することにより、伝動ケースのコストダウン及び組立工数の低減を図ったことが記載されている。
　刊行物５の第２２２頁第１６〜２９行の記載によれば、鋳造技術において、模型（木型）を鋳型から抜き取りやすくするために抜け勾配を設けることが記載されている。
　刊行物６の第５欄左欄３３行〜右欄第３６行の記載によれば、刊行物６には、ダイカスト鋳造において、一体ケースの各開口部に向かって開拡する内部形状とすることが記載されている。
（第２９条第１項第３号について）
　訂正明細書の請求項１に係る発明と刊行物２記載の発明とを対比すると、少なくとも、訂正明細書の請求項１に係る発明が、「複数の伝動経路の植付駆動軸から植付装置を駆動する軸までの伝動部を内装する伝動ケースを、一体成形した」のに対して、刊行物２記載の発明はこのような構成を有しない点で相違する。すなわち、刊行物２記載の植付駆動軸（第２軸５８）は伝動ケースに内装されておらず、また、刊行物２には、伝動ケース（副伝動ケース１９ｂ）が一体形成されたとの記載もない。
　したがって、訂正明細書の請求項１に係る発明は、刊行物２に記載された発明ということはできず、本件特許は特許法第２９条第１項第３号の規定に違反してなされたものとすることはできない。
（第２９条第２項について）
　訂正明細書の請求項１に係る発明と上記刊行物１記載の発明とを対比すると、少なくとも、訂正明細書の請求項１に係る発明が、「伝動ケースを、ケース内の中空部の中間部が狭く該中間部から両端部側になるほど広くし且つ両端部を開口した形態に一体成形した」のに対して、刊行物１記載の発明は、このような構成を有しない点で相違する。
　上記相違点を検討するために、刊行物３、４を検討すると、刊行物３，４には、農業機械の分野において、伝動ケースを左右半割に構成せず、一体的に成形することにより、伝動ケースのコストダウン及び組立工数の低減を図ったことが記載されているものの、伝動ケースを、ケース内の中空部の中間部が狭く該中間部から両端部側になるほど広くしたことは記載されていない。
　この点に関し、刊行物５には鋳造技術において、抜け勾配を設けることが、刊行物６にはダイカスト鋳造において一体ケースの各開口部に向かって開拡する内部形状とすることがそれぞれ記載されている。
　しかしながら、訂正明細書の請求項１に係る発明とするためには、刊行物１記載の発明に刊行物３，４に記載の発明を適用し、更に、その適用をするにあたって、刊行物５，６記載の周知技術を採用しなければならず、しかも、単に、刊行物５，６記載の周知技術の抜け勾配を設けたにとどまらず、伝動ケースを、ケース内の中空部の中間部が狭く該中間部から両端部側になるほど広くし且つ両端部を開口したという、具体的な形態を採用しなければならならず、このように構成することが当業者にとって容易になしうることとは認められない。
　したがって、本件発明は、刊行物１，３〜６に基づいて当業者が容易に発明をすることができたものではなく、本件特許が特許法第２９条第２項の規定に違反してなされたものとすることはできない。
　エ．むすび
　以上のとおりであるから、訂正明細書の請求項１に係る発明は、本件特許出願の際独立して特許を受けることができるものであり、本件訂正請求は、特許法等の一部を改正する法律（平成６年法律第１１６号）附則第６条第１項の規定によりなお従前の例によるとされる、特許法１２０条の４第２項、同条第３項で準用する第１２６条第２〜４項の規定に適合するので、当該訂正は認める。
３．本件発明
　訂正後の特許請求の範囲の請求項１に係る発明（以下、本件発明という。）は、訂正明細書の特許請求の範囲の請求項１に記載された次の事項により特定されるとおりのものである。
「駆動回転される植付駆動軸から複数の伝動経路に分岐伝動し、該伝動経路を介して複数の植付装置が駆動される構成とした移植機において、前記複数の伝動経路の植付駆動軸から植付装置を駆動する軸までの伝動部を内装する伝動ケースを、ケース内の中空部の中間部が狭く該中間部から両端部側になるほど広くし且つ両端部を開口した形態に一体成形したことを特徴とする移植機の伝動ケース。」
４．特許異議の申立てについて
　申立人の申立ての概要は、本件発明が、本件出願前に頒布された下記甲第１号証〜甲第４号証の２記載の発明に基づいて容易に発明をすることができたものであるから、本件特許は特許法第２９条第２項の規定に違反してなされたというものである。
記
甲第１号証：特開昭６０−１５３７１０号公報
甲第２号証：特開昭６３−４４８０８号公報
甲第３号証の１：特開昭５９−５９５２６号公報
甲第３号証の２：特開昭５９−６９２３２号公報
甲第４号証の１：昭和４５年６月３０日社団法人／新日本鋳鍛造協会発行「鋳物用語と解説」第２２２頁
甲第４号証の２：特公昭６２−５７８６１号公報
　甲第１号証〜甲第４号証の２には、上記刊行物１〜６記載の発明が記載されている。
　本件発明と上記甲第１号証記載の発明とを対比すると、少なくとも、本件発明が、「伝動ケースを、ケース内の中空部の中間部が狭く該中間部から両端部側になるほど広くし且つ両端部を開口した形態に一体成形した」のに対して、刊行物１記載の発明は、このような構成を有しない点で相違する。
　上記相違点を検討するために、甲第３号証〜甲第４号証の２をみるに、上記「ウ．独立特許要件」の「（第２９条第２項について）」において述べたとおり、甲第３号証〜甲第４号証の２記載の発明を甲第１号証記載の発明に適用して、本件発明の構成とすることは当業者にとって容易になしうることとは認められない。
　また、上記相違点を検討するために、甲第２号証記載の発明をみるに、甲第２号証には、伝動ケース（副伝動ケース１９ｂ）を、ケース内の中空部の中間部が狭く該中間部から両端部側になるほど広くし且つ両端部を開口した形態にしたこと記載されているのものの、一体成形することは記載されておらず、また、伝動ケース（副伝動ケース１９ｂ）の平断面（第５図）には、ケース内の中空部の幅が同じであることが記載されていることから、一体形成の際の中子を抜き出すための抜け勾配を意図したものとも認められないから、甲第１号証記載の発明に甲第２号証記載の発明を適用する必然性が認められず、甲第２号証記載の発明を考慮しても、本件発明が甲第１号証記載の発明から当業者が容易に発明をすることができたものとは認められない。
　したがって、本件発明が甲第１号証〜甲第４号証の２記載の発明に基づいて当業者が容易に発明をできたものとは認められないから、本件特許は特許法第２９条第２項の規定に違反してなされたものとすることはできない。
５．むすび
　以上のことから、申立人の申し立ての理由及び提出した証拠方法によっては、本件特許を取り消すことができない。
　また、他に本件特許を取り消すべき理由を発見しない。
　よって、結論のとおり決定する。
【異議決定日】
平成１１年９月２２日（１９９９．９．２２）
【訂正の要旨】
訂正の要旨
　特許第２７０７７２７号の特許明細書の記載を、特許請求の範囲の減縮及び明りょうでない記載の釈明を目的として、以下のように訂正する。
（１）【特許請求の範囲】【請求項１】の記載を、『駆動回転される植付駆動軸から複数の伝動経路に分岐伝動し、該伝動経路を介して複数の植付装置が駆動される構成とした移植機において、前記複数の伝動経路の植付駆動軸から植付装置を駆動する軸までの伝動部を内装する伝動ケースを、ケース内の中空部の中間部が狭く該中間部から両端部側になるほど広くし且つ両端部を開口した形態に一体成形したことを特徴とする移植機の伝動ケース。』と訂正する。
（２）【発明の詳細な説明】［課題を解決するための手段］の記載を、『上記課題を解決するため、本発明は、次のような構成を採用した。すなわち、本発明にかかる移植機の伝動ケースは、駆動回転される植付駆動軸から複数の伝動経路に分岐伝動し、該伝動経路を介して複数の植付装置が駆動される構成とした移植機において、前記複数の伝動経路の植付駆動軸から植付装置を駆動する軸までの伝動部を内装する伝動ケースを、ケース内の中空部の中間部が狭く該中間部から両端部側になるほど広くし且つ両端部を開口した形態に一体成形したことを特徴としている。』と訂正する。
（３）【発明の詳細な説明】［作用］の記載を、『植付駆動軸から植付装置を駆動する軸までの伝動部を内装する伝動ケースを　該ケース内の中空部の中間部が狭く該中間部から両端部側になるほど広くし　且つ両端部を開口した形態に一体成形するので、成形時において、中空部を成形する中子を成形後に左右両端から抜き出すことができる。このため、伝動ケースを半割り構造とせず、一体的に成形でき、綱立が容易で、低コストのものとすることができる。』と訂正する。
（４）【発明の詳細な説明】［発明の効果］の記載を、『以上に説明したように、本発明の移植機の伝動ケースは、ケース内の中空部の中間部が狭く、該中間部から両端部側になるほど広くし、且つ両端部を開口した形態に成形したので、伝動ケースを左右半割り構成にせず、一体的に成形できるようになり，植付駆動軸から植付装置を駆動する軸までの伝動部を内装する伝動ケースのコストダウン及び組立て工数の低減が図れるようになった。』と訂正する。
（５４）【発明の名称】
移植機の伝動ケース
（５７）【特許請求の範囲】
【請求項１】　駆動回転される植付駆動軸から複数の伝動経路に分岐伝動し、該伝動経路を介して複数の植付装置が駆動される構成とした移植機において、前記複数の伝動経路の
植付駆動軸から植付装置を駆動する軸までの伝動部を内装する
一体
【発明の詳細な説明】
［産業上の利用分野］
　本発明は、田植機等の移植機の伝動ケースに関するものである。
［従来の技術］
　例えば、従来の田植機には、特開昭５５−７０８５号公報に開示されているように、駆動回転される植付駆動軸から複数の伝動経路に分岐伝動し、該伝動経路を介して複数の植付装置を駆動する構成とした田植機において、前記複数の伝動経路の伝動ケースを左右半割りに形成したものがあった。
［発明が解決しようとする課題］
　上記従来の田植機は、左右半割りのケースを合わせて伝動ケースを構成するものであるから、その合わせ面のシール性を確保するために、大きなシール部材が必要となり、また、合わせ面の平坦度を高精度に加工する必要があった。さらに、左右のケースを多数の箇所でボルト等の締め付け手段で締め付けて連結一体化する必要があるので、コストが高く、組立て工数も多くかかるという問題点があった。そこで、本発明は、上記従来装置の問題点を解決し、低コストで組立も容易な伝動ケースの構造を提供することを課題としている。
［課題を解決するための手段］
　上記課題を解決するため、本発明は、次のような構成を採用した。すなわち、本発明にかかる移植機の伝動ケースは、駆動回転される植付駆動軸から複数の伝動経路に分岐伝動し、該伝動経路を介して複数の植付装置が駆動される構成とした移植機において、前記複数の伝動経路の
植付駆動軸から植付装置を駆動する軸までの伝動部を内装する
一体
［作用］
　
植付駆動軸から植付装置を駆動する軸までの伝動部を内装する
一体
［実施例］
　以下、本発明の実施例について具体的に説明する。第１図乃至第５図は、本発明を施した移植機の１例である田植機をあらわすもので、この田植機（移植機）１は、乗用走行車体２の後部に設けたリンク装置３に田植え用の作業機部分４が装着されている。
　走行車体２は、車体の前部に配設したミッションケース５の後部に側面視で横向きＵ字形の連結フレーム６が設けられ、該連結フレーム内にデフケース９が収納されている。デフケース９の両側面部から左右のフロントアクスルケース１０，１０が外方に突設され、その端部に前輪支持ケース１１，１１が変向可能に垂設され、該前輪支持ケースの下端部に左右の前輸１２，１２がそれぞれ軸支されている。ミッションケース５の前部にはステアリングケース１３が設けられており、それから上向きに突設したステアリングシャフト１４の上端部にステアリングホイール１５が取り付けられている。
　また、前記連結フレーム６の背面部には後方に延出する主フレーム７の前端部が固着連結されており、該主フレーム７の後端部にサイドクラッチケースとリヤアクスルケースを一体成形したリヤケース１６が設けられている。該リヤケースの左右両端部にチェンケース１７，１７が後向きに取り付けられ、その後端部に後輸１８，１８がそれぞれ軸支されている。
　エンジン２０は、側面視で前後の車軸１２ａ，１８ａの中間部に位置させ、前記主フレーム７に固着したブラケット２１，２１の上に設置されている。エンジンの回転出力は伝動軸２３によって前方に伝えられ、該伝動軸の前端部でクラッチを兼ねる副変速装置２４を介してミッションケース５に伝動される。伝動軸側のプーリ２６とミッションケース入力軸側のプーリ２７との間に高速伝動用と低速伝動用の２本のベルト２８，２８′が張架されており、いずれかのベルトを緊張させて伝動を行なうとともに、両方のベルトの緊張を解除させてクラッチを切るように構成されている。ミッションケース５から取り出された出力は前後の車軸に伝えられるとともに、作業部駆動軸２９を介してＰＴＯ軸３０に伝えられる。また、伝動軸２３の回転力は、べルト３１でエンジン２０の側方に設けた油圧アセンブリ３２の油圧ポンプにも伝動される。この油圧アセンブリ３２の下側に後記リンク装置駆動用の油圧シリンダ３３が前後に略水平に設けられている。
　エンジン２０の周辺にはキャブレター３５、燃料タンク３６等が設けられ、これらを覆うカバー３７の上に操縦席３８が前記ステアリングホイール１５に対向させて設置されている。
　リンク装置３は、前記チェンケース１７，１７に架設した台板４０の上に立設した背面視門形の枠体４２と、該枠体に支持された上リンク４３および下リンク４４と、前記上下リンクの後端部に取り付けられ下端部に作業機部分が装着される連結枠４５とから構成されている。上リンク４３が取り付けられている軸４６の右端部は枠体４２よりも外方に突出しており、この部分にアーム４８が一体に設けられている。該アーム４８の先端部はチェンリンクからなる継手部材４９を介して前記油圧シリンダ３３のピストンロッド３３ａに連結されている。油圧シリング３３を伸縮させると、上下リンク４３，４４が上下に回動させられ、連結枠４５が一定姿勢に保持されたまま昇降する。
　作業機部分４は、箱状のセンター伝動ケース５０と、その左右両端部から後方に延設されたサイド伝動ケース５１，５１とを備え、該サイド伝動ケースの後端部に２組づつ計４組の植付装置５２，…が設けられている。これらの上方には、苗を載せておく苗載台５４が、前側が上位となるよう傾斜させて、左右に滑動自在に支持されている。苗載台５４は苗を下方に移送させるベルト式の縦送り装置５５を有する。また、苗載台５４の下側には、台上の苗を受ける受板５６が固定して設けられている。
　第５図は伝動ケースの断面図であって、前記ＰＴＯ軸３０の回転動力はべベルギヤ６０，６１を介してセンター伝動ケース５０内の植付駆動軸６２に伝えられる。植付駆動軸６２の両端部はサイド伝動ケース５１の基部側に突出しており、その突出端部にスプロケットホイール６４がそれぞれ取り付けられている。植付駆動軸６２とスプロケットホイール６４とは定位置クラッチ６５を介して伝動されるので、植付駆動軸６２の回転が停止するとスプロケットホイール６４が定位置で停止する。サイド伝動ケース１５の先端部側には植付取付軸６７が支承されており、該取付軸のスプロケットホイール６８と前記スプロケットホイール６４の間に伝動手段としてのチェン６９が張架されている。植付取付軸６７の両端部はサイド伝動ケース５１外に突出し、ここに植付装置５２のロータリケース７１が一体に取り付けられている。植付装置５２は、ロータリケース７１の両端部に一対の植付杆７２，７２が設けられており、植付取付軸６７を中心としてロータリケース７１が回転することにより植付杆７２，７２が所定の軌跡を描きながら上下動しつつ、苗載台５４上の苗を１株づつ取り出して圃場に植え付けてゆくように構成されている。
　また、センター伝動ケース５０内には、軸方向に摺動自在で、ケース外に突出した両端部が苗載台５４に固着されている移動棒７４と、横送り用のリードカム軸７５と、縦送り用の回転軸７６が設けられている。リードカム軸７５は外周部に螺旋状のリード溝７７が形成され、これに移動棒７４と一体に設けたリードメタル７８の爪７９が係合している。リードカム軸７５が回転すると、溝７７に沿ってリードメタル７８が移動し、これによって苗載台５４が左右に往復動させられる。なお、植付駆動軸のギヤ８０，８１，８２とリードカム軸のギヤ８３，８４との組合せからなる変速装置でリードカム軸７５の回転速度を変えることにより、苗載台５４の横送り速度を調節することができる。一方、回転軸７６は、リードカム軸のギヤ８３と回転軸のギヤ８５を介してリードカム軸７５から伝動され、常時回転している。苗載台５４が左右行程の端部に到達すると、ケース外に突出した端部に固着したアーム８７が前記縦送り装置５５を作動させ、苗載台５４上の苗を１列分づつ下方へ移送する。
　サイド伝動ケース５１の本体は、植付駆動軸６２の突出部を収容する基部５１ａと、植付取付軸６７を支承する先端部５ｌｂと、両者を結ぶテーパ筒状の筒部５１ｃとからなり、ボルト９０によって基部５１ａがセンター伝動ケース５０に取り付けられている。図示の如く、筒部５１ｃは側面視においても平面視においても中間部Ｍの径が最も小さく、該中間部より基部側および先端部側へゆくほどテーパ状に径が大きく形成されているとともに、基部側と先端部側の端面には前記テーパの延長上に開口部９１，９２が形成され、該開口部にはカバー９３，９４が取り付けられている。また、基部５１ａの外側面および先端部５ｌｂの内外両側面は、蓋体９６，９７，９７がそれぞれ取り付けられている。サイド伝動ケースの本体は、以上のように構成されているため、中子を使用することにより、鋳造、例えばアルミダイキャスト等で一体に成形することができる。前後のカバー９３，９４は本体に簡単に着脱することができるので、サイド伝動ケース５１を組付け後も、内部の点検や調整を容易に行なうことができる。
　これら作業機部分の機体下側には、機体を水田面上に支持する左右一対のフロート１００，１００が上下に回動自在に枢着されている。左右両フロートの前部に掛け渡した横棒１０１に上下動検出用のロッド１０２が取り付けられており、この検出結果に応じて油圧バルブを制御するようになっている。例えば、フロートが上動すると前記油圧シリング３３を伸長させて機体を持ち上げ、逆にフロートが下動すると油圧シリンダ３３を収縮させて機体を下降させることにより、苗の植付深さを常に一定に保持するようになっている。
　この作業機部分４は、平面図から明らかなように、フロート１００，１００の後部１００ａ，１００ａが狭められており、平面視で植付装置５２とフロート１００とが重ならないように設けられている。このため、ロータリケース７１の先端部の軌跡における最下部のレベルをフロート１００の上面のレベルよりも低く設定することができ、ロータリケース７１の回転半径が小さくてすむので、植付装置全体のコンパクト化が可能である。
　また、第６図に示すフロート１００′のように前実施例の左右のフロート１００，１００を前部で一体化し、これに直接取り付けたロンドで上下動を検出するように構成すると、前記昇降制御が効果的に行なわれるという利点がある。
［発明の効果］
　以上に説明したように、本発明の移植機の伝動ケースは、ケース内の中空部の中間部が狭く、該中間部から両端部側になるほど広くし、且つ両端部を開口した形態に成形したので、伝動ケースを左右半割り構成にせず、一体的に成形できるようになり、
植付駆動軸から植付装置を駆動する軸までの伝動部を内装する
【図面の簡単な説明】
　第１図は本発明にかかる移植機の１例である田植機の側面図、第２図はその平面図、第３図は要部の側面図、第４図は作業機部分の側面図、第５図は伝動ケースの展開断面図、第６図はフロートの形状を示す説明図である。
　１…田植機（移植機）、２…走行車体、３…昇降装置、４…作業機部分、５…ミッションケース、１２…前輪、１８…後輪、２０…エンジン、５０…センター伝動ケース、５１…サイド伝動ケース、５１ａ…基部、５ｌｂ…先端部、５１ｃ…筒部、５２…植付装置、５４…苗載台、６２…植付駆動軸、６７…植付取付軸、６９…チェン（伝動手段）、９１，９２…開口部、９３，９４…カバー、１００，１００′…フロート。